(57)【特許請求の範囲】
【請求項１】
飼料を貯蔵する飼料貯蔵タンクと、飼料を搬送する搬送パイプとの間を接続し、飼料貯蔵タンク内の飼料を搬送パイプ内に供給する接続装置であって、
飼料貯蔵タンク内の飼料を搬送パイプ内に落下させるように内部が空洞に形成された受け口と、
受け口の上端部を飼料貯蔵タンクの下端部に装着するために、飼料貯蔵タンクの下端部に取り付けられる第１装着部材と、
受け口の下端部を搬送パイプに装着するために、上面が開口した開口部を有して該開口部が搬送パイプに連通するように形成された第２装着部材とを備え、
前記受け口は、
上端部が、第１装着部材の下端部に対して水平方向にスライド可能に装着可能に設けられ、
下端部が、第２装着部材の上端部に対して水平方向にスライド可能に装着可能に設けられていることを特徴とする飼料貯蔵タンクと搬送パイプの接続装置。
【請求項２】
前記第１装着部材には、
飼料貯蔵タンクと受け口との間を開閉する第１開閉板が設けられていることを特徴とする請求項１記載の飼料貯蔵タンクと搬送パイプの接続装置。
【請求項３】
前記第２装着部材には、
受け口と搬送パイプとの間を開閉する第２開閉板が設けられていることを特徴とする請求項１又は請求項２記載の飼料貯蔵タンクと搬送パイプの接続装置。
【請求項４】
前記第２装着部材には、
底面を開閉する第３開閉板が設けられていることを特徴とする請求項１〜請求項３のうちのいずれか１項記載の飼料貯蔵タンクと搬送パイプの接続装置。
【請求項５】
前記第２装着部材には、
搬送パイプ内に落下する飼料の分量を調整するための邪魔板が設けられていることを特徴とする請求項１〜請求項４のうちのいずれか１項記載の飼料貯蔵タンクと搬送パイプの接続装置。
【請求項６】
前記邪魔板は、搬送パイプの搬送方向の下流側に向けて幅方向中心が切り欠かれた切り欠き部が形成され、切り欠き部の搬送方向上流側の側面が平面視曲線状に形成されていることを特徴とする請求項５記載の飼料貯蔵タンクと搬送パイプの接続装置。
【請求項７】
上端部が、前記受け口の内壁面に揺動可能に取り付けられ、
下端部が、搬送パイプ内に配置されている搬送チェーンのディスクに当接するように前記第２装着部材の開口部から下方に突出して設けられ、
下端部が搬送チェーンのディスクの移動動作によって上下動すると、下端部の上下動に伴って全体が振動する振動板が設けられていることを特徴とする請求項１〜請求項６のうちのいずれか１項記載の飼料貯蔵タンクと搬送パイプの接続装置。
【請求項８】
前記振動板には、
上面側から突出して、上端部が取り付けられている内壁面と対向する側の内壁面に当接する振動補助部が設けられていることを特徴とする請求項７記載の搬送パイプの接続装置。
【発明の詳細な説明】
【技術分野】
【０００１】
本発明は、家畜に与える飼料を貯蔵しておく飼料貯蔵タンクと、飼料貯蔵タンクの下部に設けられている搬送パイプとの間を接続する接続装置に関する。
【背景技術】
【０００２】
豚舎、鶏舎および牛舎等の畜舎においては、家畜に与える飼料を供給するための搬送設備が設けられている。
例えば、特許文献１に示すような搬送設備によれば、飼料は大型の飼料貯蔵タンクに貯蔵されている。この飼料貯蔵タンクの下部には、飼料の搬送パイプに接続されている受け口が設けられている。
搬送パイプは、畜舎内の各畜房に飼料を搬送させるように循環し、飼料貯蔵タンクの下方に戻るように配置されている。
各畜房においては、搬送パイプから飼料を落下させるように、搬送パイプの一部が開口して形成された排出口が設けられている。
【先行技術文献】
【特許文献】
【０００３】
【特許文献１】特開２０００−３１６４０５号公報
【発明の開示】
【発明が解決しようとする課題】
【０００４】
上記のように、飼料貯蔵タンクと搬送パイプとの間には、下方に向けて徐々に小径となる受け口が設けられている。
受け口の上部は飼料貯蔵タンクの下部に取り付けられ、受け口の下部は、搬送パイプに取り付けられるか、又は特許文献１では搬送パイプ内に飼料を送り込むための飼料供給装置の上部に取り付けられている。
特に、受け口の下部と搬送パイプ又は飼料供給装置とは、一体に構成されていることが一般的である。
【０００５】
ところで、飼料貯蔵タンクの内部は定期的に清掃をする必要があるが、清掃時には受け口が邪魔になるので、受け口を取り外さなくてはならない。
しかし、従来の構造では受け口だけを取り外すことができず、搬送パイプ又は飼料供給装置ごと受け口を取り外さなくてはならず、飼料貯蔵タンクの清掃に手間がかかってしまうという課題があった。
【０００６】
そこで本発明は上記課題を解決すべくなされ、その目的とするところは、飼料貯蔵タンク及び搬送パイプ又は搬送パイプに設けられた飼料供給装置からの取り外しが容易に行える接続装置を提供することにある。
【課題を解決するための手段】
【０００７】
本発明にかかる飼料貯蔵タンクと搬送パイプの接続装置によれば、飼料を貯蔵する飼料貯蔵タンクと、飼料を搬送する搬送パイプとの間を接続し、飼料貯蔵タンク内の飼料を搬送パイプ内に供給する接続装置であって、飼料貯蔵タンク内の飼料を搬送パイプ内に落下させるように内部が空洞に形成された受け口と、受け口の上端部を飼料貯蔵タンクの下端部に装着するために、飼料貯蔵タンクの下端部に取り付けられる第１装着部材と、受け口の下端部を搬送パイプに装着するために、上面が開口した開口部を有して該開口部が搬送パイプに連通するように形成された第２装着部材とを備え、前記受け口は、上端部が、第１装着部材の下端部に対して水平方向にスライド可能に装着可能に設けられ、下端部が、第２装着部材の上端部に対して水平方向にスライド可能に装着可能に設けられていることを特徴としている。
この構成を採用することによって、飼料貯蔵タンクと搬送パイプとの間の受け口をスライド移動させて取り外すことができる。このため、飼料貯蔵タンクを清掃する際に、受け口の取り外しが容易に行うことができる。
【０００８】
また、前記第１装着部材には、飼料貯蔵タンクと受け口との間を開閉する第１開閉板が設けられていることを特徴としてもよい。
この構成によれば、飼料を搬送パイプに供給する際には、第１開閉板を開いておくことで行われる。また、飼料の搬送パイプへの搬送を停止する場合、又は飼料がまだ飼料貯蔵タンクに残っているときに受け口を取り外す場合には、第１開閉板を閉じることにより、飼料貯蔵タンクから受け口内に飼料を落下させないようにすることができる。
【０００９】
また、前記第２装着部材には、受け口と搬送パイプとの間を開閉する第２開閉板が設けられていることを特徴としてもよい。
この構成によれば、飼料を搬送パイプに供給する際には、第２開閉板を開いておくことで行われる。また、飼料の搬送パイプへの搬送を停止する場合、または受け口を取り外した後に搬送パイプに異物等が混入することが無いように、搬送パイプを閉じておくことができる。
【００１０】
また、前記第２装着部材には、底面を開閉する第３開閉板が設けられていることを特徴としてもよい。
この構成によれば、第２装着部材内を清掃する場合、又は飼料貯蔵タンクを清掃する際に、ごみや洗浄後の汚水などを第２装着部材内になどに貯留させずに、第２装着部材内から底面の第３開閉板を開いて排出することができる。
【００１１】
また、前記第２装着部材には、搬送パイプ内に落下する飼料の分量を調整するための邪魔板が設けられていることを特徴としてもよい。
この構成によれば、搬送パイプ内に急に大量の飼料が供給されてしまうことを防止し、搬送パイプ内が詰まることが無いようにできる。
【００１２】
また、前記邪魔板は、搬送パイプの搬送方向の下流側に向けて幅方向中心が切り欠かれた切り欠き部が形成され、切り欠き部の搬送方向上流側の側面が平面視曲線状に形成されていることを特徴としてもよい。
この構成によれば、搬送パイプ内に急に大量の飼料が供給されてしまうことを防止し、搬送パイプ内が詰まることが無いようにできる。
【００１３】
また、上端部が、前記受け口の内壁面に揺動可能に取り付けられ、下端部が、搬送パイプ内に配置されている搬送チェーンのディスクに当接するように前記第２装着部材の開口部から下方に突出して設けられ、下端部が搬送チェーンのディスクの移動動作によって上下動すると、下端部の上下動に伴って全体が振動する振動板が設けられていることを特徴としてもよい。
この構成によれば、搬送チェーンのディスクの移動により振動板の下端部が上下に振動する。この振動が振動板から受け口の内壁面に伝わり、受け口が振動する。このため、受け口内に飼料が引っかかって落下の弊害となることを防止することができる。
【００１４】
また、前記振動板には、上面側から突出して、上端部が取り付けられている内壁面と対向する側の内壁面に当接する振動補助部が設けられていることを特徴としてもよい。
この構成によれば、振動補助部を介して、振動板の上端部が取り付けられている側と反対側の内壁面に振動を付与することが可能となる。このため、受け口に対する振動の影響を大きくすることができ、受け口内に飼料が引っかかってしまうことをさらに効果的に防止できる。
【発明の効果】
【００１５】
本発明にかかる飼料貯蔵タンクと搬送パイプの接続装置によれば、飼料貯蔵タンク及び搬送パイプ又は搬送パイプに設けられた飼料供給装置からの取り外しを容易に行うことができる。
【図面の簡単な説明】
【００１６】
【図１】本発明に係る接続装置の第１の実施形態の全体の構成を示す側面図である。
【図２】接続装置を斜め下方から見たところを示す説明図である。
【図３】図２から受け口を取り外したところを示す説明図である。
【図４】受け口の平面図である。
【図５】受け口の正面図である。
【図６】受け口の側面図である。
【図７】第２装着部材の平面図である。
【図８】第２装着部材の正面図である。
【図９】第２装着部材の側面図である。
【図１０】受け口を取り外すところを示す説明図である。
【図１１】接続装置の第２の実施形態の側面図である。
【図１２】接続装置の第２の実施形態の正面図である。
【図１３】第２装着部材の第２の実施形態の平面図である。
【図１４】第２装着部材の第２の実施形態の正面図である。
【図１５】シャッターカバーの説明図である。
【図１６】第３開閉板の第２の実施形態の説明図である。
【発明を実施するための形態】
【００１７】
（第１の実施形態）
本発明にかかる接続装置について、図面に基づいて説明する。
図１は、接続装置全体の構成を説明する側面図である。
畜舎へ飼料を搬送する搬送設備１０は、飼料を貯槽する飼料貯蔵タンク２０と、飼料貯蔵タンク２０の下方に位置し、飼料貯蔵タンク２０から供給された飼料を畜舎内に搬送する搬送パイプ２２とを備えている。
飼料貯蔵タンク２０は、周囲を複数本の脚９７によって保持されている。また、複数の脚９７は水平方向に延びる脚の補強部９８によって連結されて補強されている。
【００１８】
なお、搬送パイプ２２内には、搬送チェーン（図示せず：搬送チェーンには、ワイヤやスクリューを含めるものとする。特許請求の範囲の記載も同様）が設けられており、搬送チェーンが搬送パイプ２２内を移動することによって、搬送パイプ２２内に供給された飼料が搬送チェーンの移動に伴って搬送パイプ２２内を搬送される。
飼料貯蔵タンク２０と搬送パイプ２２との間には、飼料貯蔵タンク２０内の飼料を搬送パイプ２２内に自由落下により供給する接続装置２４が設けられている。
【００１９】
図２は、接続装置２４を斜め下方からみたところを示している。図３は、図２から受け口２６を外したところを示している。
接続装置２４は、下方に向けて徐々に小径となる受け口２６と、飼料貯蔵タンク２０の下端部に取り付けられる第１装着部材２８と、搬送パイプ２２に取り付けられる第２装着部材３０とを備えている。
【００２０】
受け口２６は、内部が空洞の四角錐状であり、平面視すると上部が長辺の四角形で下部が小辺の四角形となっている。また、受け口２６の上部と下部は開口しており、第１装着部材２８と第２装着部材３０とを連通している。
なお、本実施形態では、受け口２６の構成として下方に向けて徐々に小径となる四角錐状のものについて説明しているが、受け口２６の構成としてはこのようなものに限定することはない。すなわち、上下方向に沿って同径の筒状であってもよいし、平面視形状が円形であってもよい。
【００２１】
第１装着部材２８は、飼料貯蔵タンク２０の下端部に、ボルト及びナット等の固定手段２１によって固定されている。
第１装着部材２８の上部は断面円形の筒状の部材３１であり、下部は受け口２６の上端部を装着できるように平面視四角形状に形成されている。第１装着部材２８の上端部は外方に突出するフランジ部２９が形成されている。このフランジ部２９と飼料貯蔵タンク２０下端部が、上記のように固定手段２１によって固定される。
【００２２】
また、平面視四角形状の部材３３は、四角形の少なくとも３辺が下方に向けて突出する側壁部３６を有している。受け口２６をスライド移動により取り外す方向には、側壁部３６は設けられていない。
受け口２６のスライド方向と平行な一方の側壁部３６と、一方の側壁部３６に対向する対向する側壁部３６のそれぞれには、水平方向に沿って延びる溝部３９が形成されており、この溝部３９に受け口２６の上端部がスライド可能に装着される。
【００２３】
すなわち、受け口２６の上端部の四角形の対向する少なくともいずれか２辺は、水平方向に延びるスライド保持辺３７が形成されており、第１装着部材２８の対向する側壁部３６、３６の溝部３９の間にスライド保持辺３７が収納されて保持される。
【００２４】
なお、第１装着部材２８の四角形状の部材３３は、上部の筒状の部材３１と連通する貫通穴４１が形成されている（図３では第１開閉板４２によって隠されている）。この貫通穴４１から飼料貯蔵タンク２０からの飼料が落下して受け口２６へ導入される。
【００２５】
また、貫通穴４１と受け口２６との間には、受け口２６内に飼料が落下しないように受け口２６の上面を閉塞可能な第１開閉板４２が設けられている。
第１開閉板４２は、１枚の板であり、その大きさは受け口２６の上面を完全に閉塞できる大きさである。また、第１装着部材２８の四角形状の部材の２つの側壁部３６，３６には、スライド保持辺３７を保持する溝部３９の上部に第１開閉板４２を保持する溝部（図示せず）が形成されている。
２つの溝部（図示せず）の間に第１開閉板４２の両端部が収納保持される。
【００２６】
次に、受け口２６の構成について説明する。
図４は、受け口を上方から見た平面図、図５は、受け口を飼料の搬送方向から見た正面図、図６は、受け口を側面から見た側面図である。
上述したように、受け口２６は、内部が空洞の四角錐状であり、平面視すると上部が長辺の四角形で下部が小辺の四角形となっている。
【００２７】
受け口２６の上面開口部の端辺のうち、飼料の搬送方向に対して直交する２つの端辺には、側方に向けて水平に突出するスライド保持辺３７が形成されている。このスライド保持辺３７は、受け口２６を構成する側面の金属板が上端面で折り曲げられて形成されている。このスライド保持辺３７は、受け口２６が第１装着部材２８に対して水平方向にスライド移動するために設けられているものである。
なお、スライド保持辺３７としては、側面の上端を折り曲げて形成することに限定するものではなく、側面とは別の部材を側面上端部に溶接等で取り付けて構成してもよい。
【００２８】
なお、受け口２６の上面開口部の他の端辺にも、側方に向けて水平に突出するフランジ部４３が形成されている。このフランジ部４３は、受け口２６のスライド移動に対して寄与するものではないが、第１開閉板４２の下面や、第１開閉板４２を開いたときの第１装着部材２８の下面に当接する。
【００２９】
受け口２６の下部は、上面と同様に下面開口部が形成されている。そして、下面開口部の端辺には、側方に向けて水平に突出するスライド保持辺４５が形成されている。スライド保持辺４５は、第２装着部材３０の上面に当接して、第２装着部材３０の上面開口部を閉塞できるような大きさに形成されている。
【００３０】
スライド保持辺４５のうち、少なくともスライド方向の受け口２６の取り外し方向側の端部には、下方に向けて延びるストッパー面４６が形成されている。これは、受け口２６を飼料貯蔵タンク２０の下方からスライド移動させた後、再度受け口２６を飼料貯蔵タンク２０の下方に戻すときに、ストッパー面４６が第２装着部材３０の側面に当接する。このように、ストッパー面４６は、受け口２６の位置を戻すときの位置決めとして作用する。
また、ストッパー面４６を設け、ボルトで締めこむことで、雨水等が第２装着部材３０内に進入することを防止することができる。また、スライド保持辺４５の下面又は第２装着部材３０の上面にゴム等の防水部材を設けることにより、第２装着部材３０内への雨水等の浸入を確実に防止できる。
【００３１】
なお、スライド保持辺４５には、第２装着部材３０の上面に固定するためにボルトを挿入可能な固定用穴（図示せず）が形成されている。
第２装着部材３０の上面にも同様の固定用穴６４（図７参照）が穿設されており、スライド保持辺４５と第２装着部材３０の上面とを連通してボルトが挿入されてナットで固定される。ただし、スライド保持辺４５と第２装着部材３０の上面との固定方法は、ボルト及びナットに限定するものではない。
【００３２】
次に、受け口２６の内部に設けられている振動板４８について説明する。
振動板４８は、下端部が搬送パイプ２２内の搬送チェーンのディスク（図示せず）に当接することにより、受け口２６に振動を付与し、受け口２６内の飼料を確実に落下させるものである。すなわち、振動板４８によって、飼料が受け口２６内で落下せずにとどまってしまう、いわゆるブリッジの発生を防止する。
【００３３】
振動板４８は、平面視すると上端部の辺が長く、下端部の辺が短い六角形状をなしている。本実施形態の振動板４８は、金属製の板である。ただし、振動板４８の材質及び形状は、本実施形態のものに限定するものではない。
振動板４８の上端部４８ａは、受け口２６の内壁面に揺動可能に取り付けられている。振動板４８の下端部４８ｂは受け口２６には固定されておらず、フリー端部となっている。この下端部４８ｂには、合成樹脂製の当接部５０が取り付けられている。当接部５０は、受け口２６から下方に突出して、第２装着部材３０内の搬送チェーンのディスクに当接している。
【００３４】
ここで搬送チェーンの構成について説明すると、搬送チェーンは、チェーン又はワイヤに複数のディスクが装着されて構成されている。搬送チェーンは、搬送パイプ２２内を挿通しており、図視しない駆動装置によって搬送方向に駆動される。チェーン又はワイヤには、所定間隔おきにディスクが装着されており、ディスクが飼料を搬送パイプ２２内を移動することでディスクに押されて飼料が搬送パイプ２２内を搬送される。
【００３５】
ディスクが、飼料の搬送方向に移動することにより、当接部５０はディスクに当接した時は上方に持ち上げられ、ディスクが通過して当接が外れたときは下降する。このように、当接部５０が複数のディスクに連続して当接することで上下動を繰り返し、振動板４８が振動する。
【００３６】
また、振動板４８には、受け口２６の取り付けられている内壁面２６ａと対向する内壁面２６ｂにも振動を付与するための、振動補助部５２が設けられている。振動補助部５２は、振動板４８の上面に回動自在に取り付けられており、先端部５２ａが、受け口２６の内壁面２６ｂに当接している。
【００３７】
本実施形態の振動補助部５２は、平面視すると四角形状に折り曲げられた金属製の棒状の部材である。振動補助部５２の後端部５２ｂは、振動板４８の上面に設けられた保持部５４に水平方向を軸線として回動可能に保持されている。
このように、振動板４８の振動によって、受け口２６の内壁面２６ａと、振動補助部５２が当接している内壁面２６ｂの双方が振動するので、受け口２６内に飼料がブリッジによって貯留されてしまうことをさらに効果的に防止できる。
【００３８】
また、振動補助部５２は途中の屈曲部５３において、下方に向けて凸となるように屈曲している。
このように屈曲部５３を設けることにより、振動補助部５２の先端部５２ａ近傍を、受け口２６の内壁面２６ｂの傾斜角度に近づけることができる。このため、振動補助部５２の先端部５２ａの近傍の、内壁面２６ｂとの接触面積を大きくとることができ、振動を内壁面２６ｂにより効果的に伝えることができる。
【００３９】
なお、振動補助部５２の材質及び形状は、本実施形態のものに限定するものではない。例えば、本実施形態の振動補助部５２は、棒状の部材で構成されていたが、板状の部材を採用してもよい。
【００４０】
次に、第２装着部材３０について説明する。また、図７は、第２装着部材３０を上方から見た平面図、図８は、第２装着部材３０を飼料の搬送方向から見た正面図、図９は、第２装着部材３０を側面から見た側面図である。
第２装着部材３０は、飼料貯蔵タンク２０の真下の搬送パイプ２２に設けられている、内部が空洞の直方体状の部材である。
本実施形態の第２装着部材３０は、搬送パイプ２２を途中で分断し、分断した搬送パイプ２２間に取り付けられている。また、搬送パイプ２２内に配置されている搬送チェーン（図示せず）は第２装着部材３０を搬送方向に貫通して配置されている。
【００４１】
第２装着部材３０は、受け口２６から落下した飼料を受ける上面開口部６０が設けられている。第２装着部材３０の上面開口部６０は、受け口２６の下面開口部と連通して、受け口２６から落下した飼料を導入する。
上面開口部６０の周囲の上面６２は、上述したように受け口２６の下部を固定するために用いる固定用穴６４が複数設けられている。
【００４２】
上面開口部６０の開口内側には、落下する飼料の分量を調整するための邪魔板６６が設けられている。邪魔板６６は、上面開口部６０における飼料搬送方向の下流側端面に取り付けられ、飼料搬送方向の上流側に向けて突出している。
邪魔板６６は、上方から見て平面視すると、搬送方向の上流側に向けて幅方向中心が切り欠かれた切り欠き部６７が形成され、切り欠き部６７の搬送方向上流側の側面６８が曲線で構成されている。
【００４３】
受け口２６の下面開口部から落下した飼料は、邪魔板６６が存在しない箇所では、そのまま第２装着部材３０の内部空洞内に落下し、すぐさま搬送チェーンによって下流側に移送される。落下する飼料の量が多すぎると、搬送パイプ２２内で飼料が詰まってしまうおそれがあるので、邪魔板６６によって、飼料の落下量をある程度抑えることができる。
【００４４】
また、邪魔板６６を設けることによって、搬送パイプ２２内に導入する飼料の最小量を設定することができる。そして、少量の飼料を落下させる場合であっても、振動板４８を振動させることができる。
【００４５】
第２装着部材３０の上面には、上面開口部６０を開閉可能な第２開閉板７０が設けられている。第２開閉板７０は、飼料の搬送方向に沿ってスライド可能となるように、第２装着部材３０の上面に配置されている。飼料の落下時には、第２開閉板７０を搬送方向上流側にスライドさせて上面開口部６０を開状態としておく。
一方、受け口２６を取り外した後には、第２装着部材３０内（搬送パイプ２２内）に異物等が混入することが無いように、第２開閉板７０を搬送方向下流側にスライドさせて上面開口部６０を閉じる。また、飼料の搬送パイプ２２への供給量の調整を第２開閉板７０の開閉によって行うことができる。
【００４６】
第２装着部材３０の下面には、下面開口部７５が形成されている。下面開口部７５は、通常時は第３開閉板７２によって閉塞されている。
第３開閉板７２は、飼料の搬送方向に沿ってスライド可能となるように、第２装着部材３０の下面に配置されている。
第３開閉板７２は、第２装着部材３０内を清掃する場合、又は飼料貯蔵タンク２０を清掃する際に、ごみや洗浄後の汚水などを第２装着部材３０内になどに貯留させずに下面開口部７５から第３開閉板を開いて排出することができる。
【００４７】
（受け口の着脱についての説明）
次に、受け口の着脱動作について説明する。
図１０に、受け口２６を取り外す途中の状態を示している。
受け口２６を取り外す際には、まず第１開閉板４２を閉じる。これにより、飼料貯蔵タンク２０内に飼料が残っていても、下方に落下することを防止する。
そして、第１開閉板４２を閉めた状態で第２装着部材３０の第３開閉板７２を開いて、受け口２６内に残留していた餌を第２装着部材３０の下面開口部７５を通して下方に落下させる。
【００４８】
また、第２開閉板７０を閉じることにより、第２装着部材３０内部に飼料以外のごみなどが侵入することを防止できる。さらに、第２開閉板７０を開き且つ第３開閉板７２を開くことにより、第２装着部材３０を上下方向に開放することができる。この場合には、第２装着部材３０内部にごみなどが侵入したとしても、侵入したごみなどを下面開口部７５から落下させ、搬送パイプ２２内部を綺麗にすることができる。
【００４９】
受け口２６をスライドさせるには、まず受け口２６のスライド保持辺４５と、第２装着部材３０の上面６２との間に取り付けられているボルト（図示せず）を取り外す。
そして、受け口２６を、飼料の搬送方向に対して直交する水平方向にスライド移動して受け口２６を第１装着部材２８及び第２装着部材３０から取り外す。
【００５０】
受け口２６を取り外して第１開閉板４２を開けることによって、飼料貯蔵タンク２０内の餌を排出することができる。
受け口２６を取り外した後は、第１開閉板４２を開けて飼料貯蔵タンク２０内の清掃を容易に行うことができる。また、飼料貯蔵タンク２０の清掃をしても、下面開口部７５か清掃により出たごみや汚水が第２装着部材３０内には侵入しないか、又は侵入しても下面開口部７５から排出することができる。
このように、飼料貯蔵タンク２０の清掃を容易に行え、しかも清掃時における第２装着部材３０すなわち搬送パイプ２２への異物の侵入を防止できる。
【００５１】
（第２の実施形態）
続いて、本発明にかかる接続装置の第２の実施形態について、図面に基づいて説明する。なお、上述した第１の実施形態と同一の構成要素については同一の符号を付し、説明を省略する場合もある。
図１１は本実施形態の接続装置の平面図、図１２は正面図、図１３は側面図を示す。
接続装置として、受け口２６と、第１装着部材２８と、第２装着部材３０とを有している点については、第１の実施形態と同様である。
【００５２】
本実施形態の受け口２６は、内部が空洞の四角錐状であり、平面視すると上部が長辺の四角形で下部が小辺の四角形となっている。また、受け口２６の上部と下部は開口しており、第１装着部材２８と第２装着部材３０とを連通している。
なお、本実施形態では、受け口２６の構成として下方に向けて徐々に小径となる四角錐状のものについて説明しているが、受け口２６の構成としてはこのようなものに限定することはない。すなわち、上下方向に沿って同径の筒状であってもよいし、平面視形状が円形であってもよい。
【００５３】
第１装着部材２８の平面視四角形状の部材３３は、四角形の少なくとも３辺が下方に向けて突出する側壁部３６を有している。受け口２６をスライド移動により取り外す方向には、側壁部３６は設けられていない。
【００５４】
また、本実施形態の受け口２６は、第１の実施形態とは異なり、水平方向に延びるスライド保持辺が形成されておらず、鉛直方向に延びる壁面７９が形成されている。
受け口２６の上端部は、第１装着部材２８の平面視四角形状の部材３３の側壁部３６内にスライド可能に収納される。
【００５５】
平面視四角形状の部材３３の側壁部３６と、受け口２６の上端部の壁面７９には、ボルト穴が形成されており、平面視四角形状の部材３３の側壁部３６と、受け口２６の上端部の壁面７９との間はボルト及びナット（図示せず）によって固定される。
このように、受け口２６と第１装着部材２８との間をボルト及びナットによって固定することにより、地震等が発生しても受け口２６が第１装着部材２８から勝手にスライドしてずれてしまうことを防止できる。
なお、受け口２６の上端部は、平面視すると四角形状である。このため、ボルト及びナットによって固定可能な壁面７９は４面存在する。４面存在する壁面７９のうちいずれか３面をボルト及びナットで固定すれば、強度としては十分である。
【００５６】
また、受け口２６と第１装着部材２８の貫通穴４１（図３参照）との間には、受け口２６内に飼料が落下しないように受け口２６の上面を閉塞可能な第１開閉板４２が設けられている。
第１開閉板４２は、図１２では左方向にスライドさせて抜き出すことができる。第１開閉板４２は、受け口２６の上部から引き出された後、ピン８０にかけておくことができる。
【００５７】
なお、受け口２６の下部の構成は、第１の実施形態と同様である。受け口２６下部のスライド保持辺４５の下面又は第２装着部材３０の上面にゴム等の防水部材を設けることにより、第２装着部材３０内への雨水等の浸入を確実に防止できる。
【００５８】
次に、第２装着部材３０について説明する。第２装着部材の平面図を図１４に示し、正面図を図１４に示す。
第２装着部材３０の上面には、上面開口部６０を開閉可能な第２開閉板７０が設けられている。第２開閉板７０は、飼料の搬送方向に沿ってスライド可能となるように、第２装着部材３０の上面に配置されている。飼料の落下時には、第２開閉板７０を搬送方向上流側にスライドさせて上面開口部６０を開状態としておく。
【００５９】
本実施形態では、第２装着部材３０にシャッターカバー８２が設けられている。シャッターカバー８２の斜視図を図１５に示す。
シャッターカバー８２は、第２装着部材３０の上面における飼料搬送方向の上流側において、第２開閉板７０を覆うように配置可能となっている。このため、雨水などが第２開閉板７０を伝わって第２装着部材３０の内部に進入することを防止できる。
【００６０】
シャッターカバー８２の搬送方向下流側には、下方に延びる壁面８２ａが形成されている。また、第２開閉板７０の上面には、上方に突出する壁面７０ａが形成されている。
シャッターカバー８２の壁面８２ａと、第２開閉板７０の壁面７０ａとは、装着手段によって装着される。
【００６１】
装着手段としては、以下に説明するようなものが挙げられる。
まず、第２開閉板７０の壁面７０ａには切り欠き７０ｂが形成されている。シャッターカバー８２の壁面８２ａには切り欠き７０ｂに進入して装着できる構成を有している。壁面８２ａには、壁面８２ａの内側から搬送方向の上流側に向けて延びる棒状部９１と、棒状部９１の上流側端部に取り付けられた係止板９２と、係止板９２よりも下流側において棒状部９１を貫通する貫通穴９３が形成された可動板９４と、可動板９４を係止板方向に付勢するバネ９６とが設けられている。
【００６２】
シャッターカバー８２を第２開閉板７０に装着するには、第２開閉板７０の切り欠き７０ｂに、シャッターカバー８２の棒状部９１を進入させる。この時、可動板９４をバネ９６の付勢力に抗して係止板９２から離間させ、係止板９２と可動板９４との間に隙間を設ける。そして、その隙間に切り欠き７０ｂを有する壁面７０ａを進入させることにより、係止板９２と可動板９４によって壁面７０ａを挟み込み、シャッターカバー８２を第２開閉板７０に装着させることができる。
【００６３】
第２装着部材３０の下面には、下面開口部７５が形成されている。下面開口部７５は、通常時は第３開閉板７２によって閉塞されている。
第３開閉板７２は、第１の実施形態のものとは異なり、スライドさせて着脱するのではなく、下面開口部７５にはめこむような形態である。図１６に示すように、第３開閉板７２は、搬送方向正面から見ると第２装着部材３０の内部に進入するように上方に向けた両端部７２ａと、各両端部７２ａから中央に向けて斜め方向に傾斜する傾斜部７２ｂと、幅方向両側で傾斜部７２ｂと接続して中央に水平に配置された水平部７２ｃとを有している。
なお、第３開閉板７２には、下方に向けて突出する取っ手８１が設けられている。
【００６４】
また、第３開閉板７２は、両端部７２ａを下面開口部７５に押し込んで第２装着部材３０に装着しているだけであるから、第３開閉板７２が下方に抜け落ちてしまうことを防止する固定手段が必要である。固定手段として、本実施形態に示す例では、第２開閉板７２の底面の水平部７２ｃに当接して第２開閉板７２を下方で支持する支持板８４と、支持板８４を固定する固定ねじ８６とを備える。
【００６５】
支持板８４の先端部は、第２装着部材３０の一方の側面の下端部に形成された挿入穴８７内に挿入可能である。支持板８４の後端部は、固定ねじを装着させるねじ穴が形成されている。また第２装着部材３０の他方の側面の下端部には、支持板８４を固定させる固定ねじ８６を装着する装着部が設けられている。
支持板８４は、先端部が挿入穴８７に挿入され、後端部が固定ねじ８６によって第２装着部材３０の他方の側面と固定される。
【００６６】
なお、第３開閉板７２の形状としては、上述してきたような形状のものに限定することはなく、とにかく第２装着部材３０の下面開口部７５を開閉可能な形状であればよい。
【符号の説明】
【００６７】
１０   搬送設備
２０   飼料貯蔵タンク
２２   搬送パイプ
２４   接続装置
２６   受け口
２６ａ 内壁面
２６ｂ 内壁面
２８   第１装着部材
２９   フランジ部
３０   第２装着部材
３１   筒状の部材
３３   四角形状の部材
３６   側壁部
３７   スライド保持辺
３９   溝部
４１   貫通穴
４２   第１開閉板
４３   フランジ部
４５   スライド保持辺
４６   ストッパー面
４８   振動板
４８ａ 上端部
４８ｂ 下端部
５０   当接部
５２   振動補助部
５２ａ 先端部
５２ｂ 後端部
５３   屈曲部
５４   保持部
６０   上面開口部
６２   上面
６４   固定用穴
６６   邪魔板
６７   切り欠き部
６８   側面
７０   第２開閉板
７０ａ 壁面
７０ｂ 切り欠き
７２   第３開閉板
７２ａ 両端部
７２ｂ 傾斜部
７２ｃ 水平部
７５   下面開口部
７９   壁面
８０   ピン
８１   取っ手
８２   シャッターカバー
８２ａ 壁面
８４   支持板
８６   固定ねじ
８７   挿入穴
９１   棒状部
９２   係止板
９３   貫通穴
９４   可動板
９６   バネ
９７   脚
９８   脚の補強部
【要約】
【課題】飼料貯蔵タンク及び搬送パイプ又は搬送パイプに設けられた飼料供給装置からの取り外しが容易に行える接続装置を提供する。
【解決手段】飼料を貯蔵する飼料貯蔵タンク２０と、飼料を搬送する搬送パイプ２２との間を接続し、飼料貯蔵タンク２０内の飼料を搬送パイプ２２内に供給する接続装置２４であって、飼料貯蔵タンク内の飼料を搬送パイプ内に落下させるように内部が空洞に形成された受け口２６と、受け口２６の上端部を飼料貯蔵タンク２０の下端部に装着するために、飼料タンク２０の下端部に取り付けられる第１装着部材２８と、受け口２６の下端部を搬送パイプ２２に装着するために、上面が開口した開口部６０を有する第２装着部材３０とを備え、受け口２６は、上端部が、第１装着部材２８の下端部に対して水平方向にスライド可能に装着可能に設けられ、下端部が、第２装着部材３０の上端部に対して水平方向にスライド可能に装着可能に設けられている。
【選択図】図２【図１】
0005624194.tif 000002
【図２】
0005624194.tif 000003
【図３】
0005624194.tif 000004
【図４】
0005624194.tif 000005
【図５】
0005624194.tif 000006
【図６】
0005624194.tif 000007
【図７】
0005624194.tif 000008
【図８】
0005624194.tif 000009
【図９】
0005624194.tif 000010
【図１０】
0005624194.tif 000011
【図１１】
0005624194.tif 000012
【図１２】
0005624194.tif 000013
【図１３】
0005624194.tif 000014
【図１４】
0005624194.tif 000015
【図１５】
0005624194.tif 000016
【図１６】
0005624194.tif 000017